(57)【特許請求の範囲】
【請求項１】
電波を放射して、非接触で無線タグから情報を読み取る読取手段と、
前記読取手段によって前記無線タグから情報を読み取り可能な読取範囲に、前記読取範囲の一部を可視化する読取範囲表示を表示する表示手段と、
前記読取手段により放射される電波の送信出力を、予め設定された設定時間毎に切り替える切替手段と、
前記読取範囲を変化させる条件として前記読取手段により放射される電波の送信出力を含む所定条件に応じて、前記設定時間より長い所定時間毎に前記読取範囲表示を変更する制御手段と、
を備えたことを特徴とする無線タグ読取装置。
【請求項２】
前記制御手段は、前記読取範囲表示を、前記読取手段による電波の放射に連動させることを特徴とする請求項１に記載の無線タグ読取装置。
【請求項３】
前記読取手段により放射される電波の送信出力を検知する検知手段をさらに備え、
前記制御手段は、前記検知手段により検知した送信出力を含む前記所定条件に応じて、前記読取範囲表示を変更することを特徴とする請求項１または２に記載の無線タグ読取装置。
【請求項４】
読取対象の前記無線タグの種類を認識する認識手段をさらに備え、
前記制御手段は、認識された前記無線タグの種類を含む前記所定条件に応じて、前記読取範囲表示を変更することを特徴とする請求項１から３のいずれか一に記載の無線タグ読取装置。
【請求項５】
電波を放射して、非接触で無線タグから情報を読み取る読取手段と、前記読取手段によって前記無線タグから情報を読み取り可能な読取範囲に、前記読取範囲の一部を可視化する読取範囲表示を表示する表示手段と、を備えた無線タグ読取装置を制御するコンピュータを、
前記読取手段により放射される電波の送信出力を、予め設定された設定時間毎に切り替える切替手段と、
前記読取範囲を変化させる条件として前記読取手段により放射される電波の送信出力を含む所定条件に応じて、前記設定時間よりも長い所定時間毎に前記読取範囲表示を変更する制御手段と、
して機能させるためのプログラム。
【発明の詳細な説明】
【技術分野】
【０００１】
本発明の実施形態は、無線タグ読取装置およびプログラムに関する。
【背景技術】
【０００２】
近年、流通業界においては、ＲＦＩＤ（Radio  Frequency  Identification）等の無線タグを利用したチェックアウトシステムの開発が進められている（特許文献１参照）。このシステムは、各商品に無線タグをそれぞれ付し、その無線タグのメモリに、当該無線タグが付されている商品を特定するための商品コードなどの情報を記憶させる。また、ＰＯＳ（Point  Of  Sales）端末等の商品販売データ処理装置にタグリーダライタを接続し、このリーダライタのアンテナをチェックアウトカウンタの近傍に設ける。そして、顧客が商品の会計のために当該商品をチェックアウトカウンタに載せると、各商品に付されている無線タグに記憶された情報がリーダライタによって読み取られ、商品販売データ処理装置に送られるので、商品販売データ処理装置は、リーダライタから受信した情報に基づいて、当該無線タグが付された商品の情報を処理して、その代金の決済を処理する。
【発明の概要】
【発明が解決しようとする課題】
【０００３】
ところで、ＲＦＩＤ等の無線タグから情報を読み取るリーダライタは、電波を利用して無線タグと交信しているため、リーダライタの利用者は、当該リーダライタにより無線タグから情報を読み取り可能な読取範囲が、どの程度の範囲であるかを視覚的に把握することができない。そのため、従来技術においては、リーダライタの使用時における読取範囲が分かり難い、という課題がある。
【課題を解決するための手段】
【０００４】
実施形態の無線タグ読取装置は、読取手段と、表示手段と、切替手段と、制御手段と、を備える。前記読取手段は、電波を放射して、非接触で無線タグから情報を読み取る。前記表示手段は、前記読取手段によって前記無線タグから情報を読み取り可能な読取範囲に、前記読取範囲の一部を可視化する読取範囲表示を表示する。前記切替手段は、前記読取手段により放射される電波の送信出力を、予め設定された設定時間毎に切り替える。前記制御手段は、前記読取範囲を変化させる条件として前記読取手段により放射される電波の送信出力を含む所定条件に応じて、前記設定時間より長い所定時間毎に前記読取範囲表示を変更する。
【図面の簡単な説明】
【０００５】
【図１】図１は、本実施形態にかかる商品販売システムの構成を示すブロック図、および無線タグ読取装置が設置されたＰＯＳカウンタの側面図および上面図である。
【図２】図２は、商品販売端末装置の構成の一例を示す図である。
【図３】図３は、無線タグ読取装置の構成を示すブロック図である。
【図４】図４は、送信出力レベルの切り替えの一例を示す図である。
【図５】図５は、ＲＦＩＤリーダライタがデータを読み取り可能な読取範囲のシミュレーション結果を示す図である。
【図６】図６は、アンテナの送信出力の切り替えによる読取範囲の変化を示す図である。
【図７】図７は、ＲＦＩＤタグの種類とＲＦＩＤタグの受信感度レベルとを対応付けたテーブルを示す図である。
【図８】図８は、送信アンプに入力される電流値と送信出力レベルとを対応付けたテーブルを示す図である。
【図９】図９は、ＰＯＳカウンタの材質とアンテナから放射された電波の減衰レベルとをＲＦＩＤタグの種類毎に対応付けたテーブルを示す図である。
【図１０】図１０は、読取レベルとＬＥＤから照射される光の光量（読取範囲表示）とをＰＯＳカウンタからの照明機の高さ毎に対応付けたテーブルを示す図である。
【図１１】図１１は、読取範囲表示の表示または変更処理の流れを示すフローチャートである。
【発明を実施するための形態】
【０００６】
図１乃至図１１を用いて、本実施形態にかかる商品販売システムの構成について説明する。図１は、本実施形態にかかる商品販売システムの構成を示すブロック図、および無線タグ読取装置が設置されたＰＯＳカウンタの側面図および上面図である。
【０００７】
本実施形態にかかる商品販売システム１は、店舗システム２を含んでいる。店舗システム２は、公衆網やインターネットＶＰＮ（Virtual  Private  Network）等の電気通信回線Ｗを介して、ＰＣ等の外部情報機器７０（例えば、ＰＯＳの本部システム）に接続されている。
【０００８】
店舗システム２は、商品販売端末装置４とストアサーバ（不図示）を備えている。商品販売端末装置４とストアサーバ（不図示）とは、ＬＡＮ（Local  Area  Network）等の電気通信回線を介して接続されている。なお、ストアサーバ（不図示）は、店舗システム２の中枢を担うコンピュータであって、店舗内で販売される各商品についての商品情報を管理する。
【０００９】
図２は、商品販売端末装置の構成の一例を示す図である。図２に示すように、商品販売端末装置４は、ＰＯＳ端末４０と、無線タグ読取装置３０とを有している。
【００１０】
ＰＯＳ端末４０は、ＣＰＵ（Central  Processing  Unit）４１と、ＲＯＭ（Read  Only  Memory）４２と、ＲＡＭ（Random  Access  Memory）４３と、記憶部４４と、通信部４５と、操作部４６と、表示部４７と、印刷部４８と、無線タグ読取装置コントローラ４９とを備えている。
【００１１】
ＣＰＵ４１は、ＲＯＭ４２や記憶部４４に記憶されたコンピュータ読み取り可能な各種プログラムを実行することにより、ＰＯＳ端末４０の動作を統括的に制御する。ＲＯＭ４２は、ＣＰＵ４１が実行する各種プログラムや設定情報を記憶する。
【００１２】
ＲＡＭ４３は、ＣＰＵ４１や無線タグ読取装置コントローラ４９のワークメモリとして機能する。
【００１３】
記憶部４４は、ＨＤＤ（Hard  Disk  Drive）やフラッシュメモリ等の記憶媒体を有し、この記憶媒体にＣＰＵ４１が実行する各種プログラムや設定情報を記憶している。
【００１４】
通信部４５は、電気通信回線Ｗを通じて接続される外部情報機器７０とのデータ通信を制御する。操作部４６は、キーボードやタッチパネル、各種ボタン等の入力デバイスを有し、当該入力デバイスの操作内容に応じて操作信号をＣＰＵ４１に通知する。表示部４７は、ＬＣＤ（Liquid  Crystal  Display）等のオペレータ用および客用のディスプレイを有し、このディスプレイを制御してＣＰＵ４１から与えられる表示データに応じた文字等を表示させる。印刷部４８は、レシートプリンタ等の印刷装置を有し、この印刷装置の駆動を制御してＣＰＵ４１から提供される印字データをもとにレシート印字およびジャーナル印字を行わせる。
【００１５】
無線タグ読取装置コントローラ４９は、ＣＰＵ４１から出力される指示信号に従い、無線タグ読取装置３０を制御する信号を出力する。
【００１６】
図３は、無線タグ読取装置の構成を示すブロック図である。図３に示すように、無線タグ読取装置３０は、ＲＦＩＤリーダライタ５０、アンテナ５８、制御装置８０、および照明機９０等を備えている。
【００１７】
ＲＦＩＤリーダライタ５０は、無線タグ読取装置コントローラ４９から入力される信号に基づいて、ＲＦＩＤリーダまたはＲＦＩＤライタとして動作し、ＲＦＩＤタグ６０に対するデータの読み出しまたは書き込みを行い、読み出したデータをＣＰＵ４１に通知する。
【００１８】
具体的には、ＲＦＩＤリーダライタ５０は、リーダライタ制御部５１、変調部５２、復調部５３、送信アンプ５４、受信アンプ５５、インターフェース部５６、切替回路５７等を有している。
【００１９】
リーダライタ制御部５１は、インターフェース部５６を介して入力される無線タグ読取装置コントローラ４９からの制御信号に従い、無線タグ読取装置３０の動作を制御する。変調部５２は、リーダライタ制御部５１から受け取った送信データを変調する。送信アンプ５４は、変調部５２で変調された電波を増幅してアンテナ５８から放射させる。受信アンプ５５は、アンテナ５８で受信された電波を増幅する。復調部５３は、受信アンプ５５で増幅された電波を復調する。インターフェース部５６は、無線タグ読取装置コントローラ４９との間でデータ通信を行う。
【００２０】
切替回路５７は、ＣＰＵ４１（無線タグ読取装置コントローラ４９）から入力されるデジタルの制御信号をアナログ（電流値）に変換するＤ／Ａ変換機能を有している。
【００２１】
また、送信アンプ５４は、切替回路５７からの６段階に変化するアナログ信号（電流値１〜６）に応じて、アンテナ５８から放射される電波の送信出力（送信電力）レベルを切り替えるパワーアンプが含まれている。ここで、送信アンプ５４によってアンテナ５８から放射される電波の送信出力を切り替えているのは、交信するＲＦＩＤタグ６０の種類が変っても、ＲＦＩＤリーダライタ５０がＲＦＩＤタグ６０からデータの読み取りが可能な読取範囲５９を略一定に保つためである。
【００２２】
図４は、送信出力レベルの切り替えの一例を示す図である。図４に示すように、送信アンプ５４は、切替回路５７からの電流値１〜６に応じて、予め設定された設定時間毎に、ＲＦＩＤタグ６０と交信するための送信出力を切り替える。例えば、送信アンプ５４は、予め設定された設定時間毎に、高感度ＲＦＩＤタグと交信するための送信出力（４０ｍＷ）または低感度ＲＦＩＤタグと交信するための送信出力（５００ｍＷ）に切り替える。ここで、高感度ＲＦＩＤタグは、一般衣類等の商品に付加される大型（長い）のＲＦＩＤタグであり、小さい電力でも、遠くにあるＲＦＩＤリーダライタ５０によってデータの読み取り可能である。低感度ＲＦＩＤタグは、アクセサリーや靴下といった小物に付加される小型のＲＦＩＤタグであり、大きな電力でも、遠くにあるＲＦＩＤリーダライタ５０によってはデータの読み取りができない。なお、同じ送信出力で双方のＲＦＩＤタグからのデータの読み取りを行った場合、高感度ＲＦＩＤタグは、低感度ＲＦＩＤタグよりも、数倍の距離、離れた位置にあるＲＦＩＤリーダライタ５０によるデータの読み取りが可能である。
【００２３】
アンテナ５８は、非接触方式の無線タグであるＲＦＩＤタグ６０と交信するためのＲＦＩＤアンテナである。本実施形態では、アンテナ５８は、ＵＨＦ帯を使用して、当該アンテナ５８から約３０ｃｍ離れた位置にあるＲＦＩＤタグ６０と交信するものとする。また、アンテナ５８は、図１に示すように、店舗内の会計場所に設けられたＰＯＳカウンタ１００の下部に設置され、ＰＯＳカウンタ１００上に向けられている。なお、アンテナ５８から放射した電波に応答したＲＦＩＤタグ６０からＲＦＩＤリーダライタ５０がデータを読み取り可能な読取範囲５９は、ＰＯＳカウンタ１００上の領域を包含するように制御されている。これにより、ＲＦＩＤリーダライタ５０は、顧客が買い上げた商品に付加されたＲＦＩＤタグ６０と非接触で交信を行うことで、ＲＦＩＤタグ６０内のデータを読み取ることができる。
【００２４】
図５は、ＲＦＩＤリーダライタがデータを読み取り可能な読取範囲のシミュレーション結果を示す図である。図５に示す読取範囲５９のシミュレーション結果は、真空状態におけるＲＦＩＤリーダライタ５０の読取範囲５９である。しかし、ＲＦＩＤリーダライタ５０の読取範囲５９は、ＰＯＳカウンタ１００の材質やＰＯＳ端末４０とアンテナ５８との位置関係等の周囲環境やアンテナ５８から放射される電波の送信出力などによって変化するため、図５に示すような読取範囲５９を得ることはできない。例えば、ＰＯＳカウンタ１００がガラスである場合には、読取範囲５９が狭くなる。また、ＰＯＳ端末４０がアンテナ５８の近傍に配置されている場合には、ＰＯＳ端末４０で反射した電波により読取範囲５９が変化する。
【００２５】
図６は、アンテナの送信出力の切り替えによる読取範囲の変化を示す図である。本実施形態では、上述したように、ＲＦＩＤタグ６０の種類によって読取範囲５９が変化しないように、アンテナ５８から放射される電波の送信出力を切り替えているが、ＲＦＩＤリーダライタ５０の実際の読取範囲５９は、アンテナ５８の送信出力によって若干変化する。具体的には、高感度ＲＦＩＤタグと交信する際の読取範囲５９が、低感度ＲＦＩＤタグと交信する際の読取範囲５９よりも大きくなる。
【００２６】
照明機９０は、複数のＬＥＤ（Light  Emitting  Diode）９２および絞り９１を有している。複数のＬＥＤ９２は、ＰＯＳカウンタ１００の上方からＰＯＳカウンタ１００に向けて光を照射して、読取範囲５９に、当該読取範囲５９と当該読取範囲５９以外の範囲６２とを区別する読取範囲表示６１を表示するものである。これにより、ＲＦＩＤリーダライタ５０が有する読取範囲５９を擬似的に可視化することができる。また、絞り９１は、制御装置８０から出力された信号に応じて当該複数のＬＥＤ９２から照射される光の光量を調節するものである。
【００２７】
なお、本実施形態では、照明機９０は、ＬＥＤ９２を用いて読取範囲表示６１を表示しているが、これに限定するものではなく、例えば、ブラックライトや蛍光塗料やホログラムなどを用いて読取範囲表示６１を表示しても良い。さらに、照明機９０は、絞り９１を介してＬＥＤ９２によって表示された読取範囲表示６１が楕円形になることを防止するために、ＬＥＤ９２から照射された光の光路上にレンズを配置しても良い。
【００２８】
制御装置８０は、照明機制御部８１およびインターフェース部８２を有している。インターフェース部８２は、無線タグ読取装置コントローラ４９との間でデータ通信を行う。
【００２９】
照明機制御部８１は、読取範囲５９を変化させる所定条件に応じて、照明機９０が有する絞り９１を用いてＬＥＤ９２から照射される光の光量を調節して、ＬＥＤ９２により表示される読取範囲表示６１を変更するものである。
【００３０】
ここで、読取範囲５９を変化させる所定条件とは、ＲＦＩＤリーダライタ３０（アンテナ５８）から放射される電波の送信出力、ＲＦＩＤリーダライタ５０によりデータを読み取るＲＦＩＤタグ６０の種類、ＲＦＩＤリーダライタ５０に接続されたアンテナ５８の種類、照明機９０とＰＯＳカウンタ１００（読取範囲表示６１を表示する面）とアンテナ５８それぞれの位置関係、ＰＯＳカウンタ１００の材質、周囲環境等がある。なお、周囲環境が読取範囲５９を変化させる例としては、アンテナ５８から放射された電波がＰＯＳ端末４０で反射して読取範囲５９を変化させる例がある。
【００３１】
ここで、図７〜１０を用いて、ＲＦＩＤタグ６０の種類、アンテナ５８から放射される電波の送信出力レベル、ＰＯＳカウンタ１００の材質、および照明機９０とＰＯＳカウンタ１００との位置関係に応じて、読取範囲表示６１を変更する例について説明する。図７は、ＲＦＩＤタグの種類とＲＦＩＤタグの受信感度レベルとを対応付けたテーブルを示す図である。図８は、送信アンプに入力される電流値と送信出力レベルとを対応付けたテーブルを示す図である。図９は、ＰＯＳカウンタの材質とアンテナから放射された電波の減衰レベルとをＲＦＩＤタグの種類毎に対応付けたテーブルを示す図である。図１０は、読取レベルとＬＥＤから照射される光の光量（読取範囲表示）とをＰＯＳカウンタからの照明機の高さ毎に対応付けたテーブルを示す図である。なお、図７〜１０に示すテーブルは、ＰＯＳ端末４０が備えるＲＯＭ４２に予め格納しておいても良いし、通信部４５を介して外部情報機器７０から取得しても良い。
【００３２】
照明機制御部８１は、まず、インターフェース部８２および無線タグ読取装置コントローラ４９を介して、ＲＡＭ４３から、アンテナ５８を介して交信するＲＦＩＤタグ６０の種類（ＲＦＩＤタグＡ〜Ｄ）、ＰＯＳカウンタ１００の材質（インレイ、ガラス、木材、プラスチックなど）、およびＰＯＳカウンタ１００から照明機９０までの高さ（高さ：１〜２０）を読み出す。ＲＦＩＤタグ６０の種類、ＰＯＳカウンタ１００の材質、およびＰＯＳカウンタ１００から照明機９０までの高さは、ＰＯＳ端末４０が備える操作部４６を介してオペレータによって設定され、ＲＡＭ４３に記憶されているものとする。
【００３３】
なお、本実施形態では、照明機制御部８１は、ＲＡＭ４３から、ＲＦＩＤタグ６０の種類、ＰＯＳカウンタ１００の材質、およびＰＯＳカウンタ１００から照明機９０までの高さを読み出しているが、通信部４５を介して外部情報機器７０から各情報を読み出しても良い。または、照明機制御部８１は、図示しないＣＣＤ（Charged  Coupled  Device）カメラによってＲＦＩＤタグ６０の画像を撮像し、撮像したＲＦＩＤタグ６０の画像から、ＯＣＲ（Optical  Character  Reader）等の文字認識処理によって当該ＲＦＩＤタグ６０に印字された型番等を読み取り、読み取った型番等からＲＦＩＤタグ６０の種類を認識しても良い。または、照明機制御部８１は、他のＲＦＩＤリーダライタを用いてＲＦＩＤタグ６０に記憶された情報を読み取り、読み取った情報からＲＦＩＤタグ６０の種類を認識しても良い。
【００３４】
次いで、照明機制御部８１は、リーダライタ制御部５１を介して、送信アンプ５４に出力された電流値１〜６を検知する。そして、照明機制御部８１は、図８に示すテーブルから、検知した電流値と対応付けられた送信出力レベル（ｄＢｍ）を読み出す。さらに、照明機制御部８１は、図７に示すテーブルから、読み出したＲＦＩＤタグ６０の種類と対応付けられたＲＦＩＤタグ受信感度レベル（ｄＢｍ）を読み出す。さらに、照明機制御部８１は、図９に示すテーブルから、読み出したＰＯＳカウンタ１００の材質と対応付けられた減衰レベル（ｄＢｍ）のうち、読み出したＲＦＩＤタグ６０の種類に該当する減衰レベル（ｄＢｍ）を読み出す。
【００３５】
なお、本実施形態では、照明機制御部８１は、図８に示すテーブルから送信出力レベル（ｄＢｍ）を読み出しているが、アンテナ５８から放射された電波を受信可能なアンテナ等を有する場合には、当該アンテナによって受信した電波の送信出力レベル（ｄＢｍ）を検知しても良い。
【００３６】
照明機制御部８１は、ＲＦＩＤタグ受信感度レベル（ｄＢｍ）、送信出力レベル（ｄＢｍ）および減衰レベル（ｄＢｍ）を読み出すと、以下に示す式（１）を用いて、読取レベルを算出する。
読取レベル＝送信出力レベル（ｄＢｍ）＋減衰レベル（ｄＢｍ）−ＲＦＩＤタグ受信感度レベル（ｄＢｍ）・・・式（１）
【００３７】
照明機制御部８１は、読取レベルを算出すると、図１０に示すテーブルから、算出した読取レベルと対応付けられた光量のうち、取得した高さに該当する光量を読み出す。そして、照明機制御部８１は、絞り９１を用いてＬＥＤ９２から照射される光の光量を調節して、読み出した光量に、ＬＥＤ９２により表示される読取範囲表示６１を変更する。
【００３８】
また、照明機制御部８１は、ＬＥＤ９２による読取範囲表示６１の表示を、アンテナ５８からの電波の放射に連動させるものとする。具体的には、照明機制御部８１は、アンテナ５８からの電波の放射に伴って、ＬＥＤ９２による読取範囲表示６１を表示する。これにより、アンテナ５８から電波が放射されていない間は、読取範囲表示６１が行われないため、無線タグ読取装置３０における消費電力を削減することができる。
【００３９】
さらに、照明機制御部８１は、送信アンプ５４によって送信出力が切り替えられる設定時間よりも長い所定時間毎に、ＬＥＤ９２による読取範囲表示６１を変更するものとする。これにより、読取範囲表示６１が頻繁に変更されて、ＰＯＳ端末４０のオペレータが不快感を抱くことを防止できる。
【００４０】
図１１は、読取範囲表示の表示または変更処理の流れを示すフローチャートである。照明機制御部８１は、アンテナ５８から電波が放射されたか否かを判断する（ステップＳ１１０１）。アンテナ５８から電波が放射されている場合（ステップＳ１１０１：Ｙｅｓ）、照明機制御部８１は、ＲＡＭ４３から、ＲＦＩＤタグ６０の種類、ＰＯＳカウンタ１００の材質、およびＰＯＳカウンタ１００から照明機９０までの高さを読み出す（ステップＳ１１０２）。さらに、照明機制御部８１は、送信アンプ５４に出力された電流値１〜６を検知する（ステップＳ１１０３）。
【００４１】
次いで、照明機制御部８１は、図８に示すテーブルから、検知した電流値と対応付けられた送信出力レベルを読み出す（ステップＳ１１０４）。さらに、照明機制御部８１は、図７に示すテーブルから、読み出したＲＦＩＤタグ６０の種類と対応付けられたＲＦＩＤタグ受信感度レベルを読み出す（ステップＳ１１０４）。さらに、照明機制御部８１は、図９に示すテーブルから、読み出したＰＯＳカウンタ１００の材質と対応付けられた減衰レベルを読み出す（ステップＳ１１０４）。
【００４２】
そして、照明機制御部８１は、読み出した送信出力レベル、ＲＦＩＤタグ受信感度レベル、および減衰レベルから、読取レベルを算出する（ステップＳ１１０５）。次いで、照明機制御部８１は、図１０に示すテーブルから、算出した読取レベルと対応付けられた光量を読み出すとともに、絞り９１を用いてＬＥＤ９２から照射される光の光量を調節して、読取範囲表示６１を表示または変更する（ステップＳ１１０６）。その後、照明機制御部８１は、所定時間経過する毎に、ステップＳ１１０１〜ステップＳ１１０６に示す処理を繰り返す（ステップＳ１１０７：Ｙｅｓ）。そして、アンテナ５８からの電波の放射が行われなくなると、照明機制御部８１は、読取範囲表示６１を停止する。
【００４３】
このように本実施形態にかかる無線タグ読取装置３０によれば、ＲＦＩＤタグ６０と交信するための電波を放射し、当該電波に応答したＲＦＩＤタグ６０からデータを読み取るＲＦＩＤリーダライタ５０と、電波に応答したＲＦＩＤタグ６０からＲＦＩＤリーダライタ５０によってデータを読み取り可能な読取範囲５９に、読取範囲５９と当該読取範囲５９以外の範囲６２とを区別する読取範囲表示６１を表示する照明機９０と、読取範囲５９を変化させる所定条件に応じて、読取範囲表示６１を変更する照明機制御部８１とを備えることにより、視覚的に読取範囲５９を把握することができるので、ＲＦＩＤリーダライタ５０の使用時における読取範囲５９が分かり易くなる。また、ＲＦＩＤリーダライタ５０の設置時に当該リーダライタをどこに配置すべきなのか、リーダライタの出力をどの程度にすべきかが分かる。
【００４４】
なお、本実施形態のＰＯＳ端末４０で実行されるプログラムは、ＲＯＭ４２等に予め組み込まれて提供される。
【００４５】
また、本実施形態のＰＯＳ端末４０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００４６】
さらに、本実施形態のＰＯＳ端末４０で実行されるプログラムを、インターネット等のネットワークに接続されたコンピュータ上に格納し、ネットワーク経由でダウンロードさせることにより提供するように構成しても良い。また、本実施形態のＰＯＳ端末４０で実行されるプログラムをインターネット等のネットワーク経由で提供または配布するように構成しても良い。
【００４７】
本実施形態のＰＯＳ端末４０で実行されるプログラムは、上述した各部（照明機制御部８１など）を含むモジュール構成とし、実際のハードウェアとしてはＣＰＵ４１が上記ＲＯＭ４２からプログラムを読み出して実行することにより上記各部を主記憶装置上にロードし、照明機制御部８１などを主記憶装置上に生成しても良い。
【符号の説明】
【００４８】
３０  無線タグ読取装置
５０  ＲＦＩＤリーダライタ
５４  送信アンプ
５９  読取範囲
６０  ＲＦＩＤタグ
６１  読取範囲表示
８１  照明機制御部
９０  照明機
【先行技術文献】
【特許文献】
【００４９】
【特許文献１】特開２００７−２２６３２０公報
【図１】
0005149943.tif 000002
【図２】
0005149943.tif 000003
【図３】
0005149943.tif 000004
【図５】
0005149943.tif 000005
【図６】
0005149943.tif 000006
【図７】
0005149943.tif 000007
【図８】
0005149943.tif 000008
【図９】
0005149943.tif 000009
【図１０】
0005149943.tif 000010
【図１１】
0005149943.tif 000011
【図４】
0005149943.tif 000012